(57)【特許請求の範囲】
【請求項１】
所定容積をもって密閉状とした集塵室の背面左右幅中央の、排風源から水平誘導した排風ダクト・ダクトホース端に一致する高さ位置に、排風源から誘導した排風ダクト・ダクトホース端を接続可能とする接続口フランジを装着してなる排風水平流入口、該背面とは反対がわとなる正面上部ないし天面前部の適所に上昇排気口、および、底部全床にわたり集塵液を一定液位に貯留した液槽を夫々設けて集塵機本体となし、該液槽に設けたポンプより導いた圧液を円錐状に噴射可能なシャワーノズルを、当該排風水平流入口の中心付近に配し、且つ、同集塵室正面内壁がわに向けるよう略水平姿勢に支持すると共に、同集塵室内のシャワーノズルの円錐状噴射形状の中心より下がわとなる適宜範囲に反射跳揚壁を設けた上、同集塵室内の正面内壁と該反射跳揚壁との間には、天面から吊下し、液槽液面との間に排気用間隙を確保した液切り端を有し、少なくとも当該シャワーノズルの円錐状噴射形状中心よりも上がわ、および、該シャワーノズルの円錐状噴射形状中心よりも下がわであって当該反射跳揚壁に反射・上昇する圧液および排風が到達する範囲に亘り、該排風水平流入口およびシャワーノズルがわの適所に１または複数の中心を配する縦断面形概略円弧状であって、集塵室正面内壁との間に該排気用間隙から上昇排気口を繋ぐ上昇排気路を確保可能な下降流誘導壁を設けてなるものとしたことを特徴とする集塵機。
【請求項２】
反射跳揚壁が、排風水平流入口およびシャワーノズルに近接し、同反射跳揚壁の最下位となる端部付近に、同反射跳揚壁上面に付着した塵埃、液、およびその混合液が液槽に自然流下および／または落下可能とする塵液排出口を開口してなるものとした、請求項１記載の集塵機。
【請求項３】
反射跳揚壁が、その上壁面を排風水平流入口およびシャワーノズルに近接する端部付近から、下降流誘導壁に近接する端部付近まで、直線的に上昇する一定の登り勾配の一平面状に設定してなるものとした、請求項１記載の集塵機。
【請求項４】
反射跳揚壁が、その上壁面を排風水平流入口およびシャワーノズルに近接する端部付近から、下降流誘導壁に近接する端部付近まで、直線的に上昇する複数の登り勾配を組み合わせてなる折り曲げ平面状か、または、複数の折り目を有する屈曲平面状かの何れか一方に設定してなるものとした、請求項１記載の集塵機。
【請求項５】
反射跳揚壁が、その上壁面を排風水平流入口およびシャワーノズルに近接する端部付近から、下降流誘導壁に近接する端部付近まで、一定曲率で上昇する一次曲面状に設定してなるものとした、請求項１記載の集塵機。
【請求項６】
反射跳揚壁が、その上壁面を排風水平流入口およびシャワーノズルに近接する端部付近から、下降流誘導壁に近接する端部付近まで、次第に曲率を変化させて上昇する二次曲線状に設定してなるものとした、請求項１記載の集塵機。
【請求項７】
反射跳揚壁が、そのシャワーノズルの中心に一致する左右端間中央から離れた左右双方端縁に沿って、排風水平流入口から入流する排風、および、シャワーノズルから噴射する圧液を反射跳揚壁左右幅内に留めるよう案内可能とする適宜形状の整流翼端を立設するか、または、各左右双方端縁を集塵室天面壁か、同左右面壁かの何れか一方に連続するか、の何れかとしてなるものとした、請求項１記載の集塵機。                                          
【発明の詳細な説明】
【技術分野】
【０００１】
この発明は、ダクトを通じて排気と共に排出される塵埃などを分離し、清浄化した空気だけを排出可能とする技術に関連するものであり、特に、穀類乾燥機などの各種産業用機械などの排風中から塵埃を除去可能とする集塵機を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                              
【背景技術】
【０００２】
（着目点）
図８に示してあるように、湿式の集塵機１は、その集塵機本体１０集塵室２背面２０の左右幅中央高所に、排風水平流入口（接続口フランジ）２５を設け、底部２４に液槽４を有し、集塵液４０を貯留した該液槽４に没した水中ポンプ３０から延伸したシャワーノズル３を当該排風水平流入口２５の中心付近に配すると共に、その噴射口を集塵室２内に向けて水平姿勢に固定したものとする一方、集塵室２の正面２１上端から天面２２前端に開口した上昇排気口２６と背面２０との間に、天面２２から垂下し、排風水平流入口２５およびシャワーノズル３に対峙する曲板からなり、その下端縁である液切り端６０と液槽４集塵液４０液面４１との間に排気用間隙６１、また、その曲板背面と集塵室２正面内壁２１との間に、排気用間隙６１から上昇排気口２６までを繋ぐ上昇排気路２７を確保するよう下降流誘導壁６を設けてなるものであり、図７に示すように、穀類乾燥機（排風源）７から導出した排風ダクト（ダクトホース）７０を当該集塵機１の排風水平流入口（接続口フランジ）２５に接続し、穀類乾燥機７からの排風８を排風水平流入口２５に導入すると同時に、水中ポンプ３０が供給する集塵液４０をシャワーノズル３が、集塵室２内下降流誘導壁６に向け、水平円錐状に連続噴射するようにし、排風８中の塵埃９に集塵液４０を付着させて液槽４に落下・回収し、且つ、下降流誘導壁６に吹き付けた塵埃９を付着した集塵液４０が、同下降流誘導壁６を伝って液切り端６０より液槽４に落下・回収さられるものとし、さらに、排気用間隙６１を通過して上昇排気路２７を上昇する過程で塵埃９および集塵液４０を落下・回収し、浄化した排風８が上昇排気口２６を通じて排出されるものとしてあり、シャワーノズル３より噴射した集塵液４０が、液槽４に落下するまでの間に、より多くの塵埃９を回収できるようにするため、排風水平流入口２５の取付け高さＨをできるだけ高く設定すべきものであった。
【０００３】
しかしながら、図７に示すとおり、穀類乾燥機７の排風ダクト７０は、一般に、その構造上、低い位置から導出するものとなっており、集塵機１の排風水平流入口２５との高低差ｈ分は、ダクトホース７０を屈曲させて接続しなければならず、同図７中に示してあるように、ダクトホース７０を急角度に曲げてしまうと塵埃９の詰まりや排風圧の上昇などの様々な問題を生じてしまい、穀類乾燥機７の正常な動作が得られなくなる虞があるため、穀類乾燥機７と集塵機１との間に充分な距離を確保し、できるだけ緩やかな角度で折曲しなければならず、結果として狭い場所への設置が困難であるという問題を惹起しており、どうしても限られたスペースに設置しなければならない場合には、図９に示しているように、設置箇所の地面をスコップなどで当該高低差（図７中のｈ）分掘り下げた上、この穴内に集塵機１を設置し、水平のダクトホース７０を穀類乾燥機７に接続することとなるが、こうした地面の掘り下げ作業、および穴内への設置作業などは、作業者への労働負担を増大してしまうばかりでなく、穴内に雨水が浸入し易く、溜まった雨水を汲み上げるという多大な作業負担を生ずる虞があり、さらにまた、図７および図８に示すように、集塵機１の排風水平流入口２５が、穀類乾燥機７の排風ダクト７０よりも高い位置に設置した場合には、シャワーノズル３から噴射した集塵液４０の一部が、低い排風ダクト７０内を逆流して穀類乾燥機７がわに浸入してしまう虞があり、穀類乾燥機７の正常な動作に悪影響を及ぼす虞がある。
【０００４】
（従来の技術）
こうした状況を反映し、その打開策となるような提案もこれまでに散見されない訳ではない。
例えば、下記の特許文献１（１）ないし（４）に提案されているものに代表されるように、集塵機を小型化および簡素化し、排風流入口を低い位置に設定可能となるようなものが散見されるが、このように小型化されたものであっても特許文献１（１）や同（３）のように、垂直な排風流入口を有して、穀類乾燥機からの排風ダクトを略直角に曲げなければ接続できないものや、特許文献１（２）や同（４）に代表するもののように、簡素化によって集塵室や集塵用バッグ体などを、排風ダクトに倣って水平に長い形状のものとしなければ充分な集塵効果を得ることができないという課題が残り、したがって、従前までの集塵機は、何れも穀類乾燥機からの排風ダクトを急角度で折曲して接続するようにするか、または、集塵室を排風ダクトに倣って長く設定しなければならないという致命的な欠点を有することになっていた。                                                                  
【特許文献１】（１）特開平１１−２０７１２３号公報    （２）特開２００２−２７３１４０号公報    （３）特開２００３−６５６７６号公報    （４）特開平１１−２４４６４０号公報
【発明の概要】
【発明が解決しようとする課題】
【０００５】
（問題意識）
上述したとおり、従前までに提案のある各種集塵機などは、何れも排風を集塵用の液面に垂直に供給するよう、穀類乾燥機からの排風ダクトを９０°折曲しなければならないものや、排風ダクトを延長するように、水平方向に長い集塵室を有するものとしなければならないなど、小型化、簡素化、高い静粛性および高い集塵性能という相矛盾する課題を全て解決し、しかも、穀類乾燥機からの水平な排風ダクトを簡単に接続し、穀類乾燥機への集塵液の逆流を確実に防止できるようにした集塵機は、未だ存在しておらず、穀類乾燥機の利用者は、これまで何れかの欠点を自らの努力と工夫にて解決するか、または、そうした欠点に目を瞑り、仕方のないことと諦め、支障が発生する度毎に、それらの問題に対処し、そうした煩わしさを我慢するしかないというのが実情であった。
【０００６】
（発明の目的）
そこで、この発明は、集塵機本体の簡素化、小型化、高い静粛性能、高い集塵性能といった相互に矛盾する課題を悉く解決すると共に、排風源の低い位置から導出される排風ダクトを急角度で折曲することなく、略水平のまま容易に接続することができる新たな集塵技術の開発はできないものかとの判断から、逸速くその開発、研究に着手し、長期に渡る試行錯誤と幾多の試作、実験とを繰り返してきた結果、今回、遂に新規な構造の集塵機を実現化することに成功したものであり、以下では、図面に示すこの発明を代表する実施例と共に、その構成を詳述することとする。                                                                                
【課題を解決するための手段】
【０００７】
（発明の構成）
図面に示すこの発明を代表する実施例からも明確に理解されるように、この発明の集塵機は、基本的に次のような構成から成り立っている。
即ち、所定容積をもって密閉状とした集塵室の背面左右幅中央の、排風源から水平誘導した排風ダクト・ダクトホース端に一致する高さ位置に、排風源から誘導した排風ダクト・ダクトホース端を接続可能とする接続口フランジを装着してなる排風水平流入口、該背面とは反対がわとなる正面上部ないし天面前部の適所に上昇排気口、および、底部全床にわたり集塵液を一定液位に貯留した液槽を夫々設けて集塵機本体となし、該液槽に設けたポンプより導いた圧液を円錐状に噴射可能なシャワーノズルを、当該排風水平流入口の中心付近に配し、且つ、同集塵室正面内壁がわに向けるよう略水平姿勢に支持すると共に、同集塵室内のシャワーノズルの円錐状噴射形状の中心より下がわとなる適宜範囲に反射跳揚壁を設けた上、同集塵室内の正面内壁と該反射跳揚壁との間には、天面から吊下し、液槽液面との間に排気用間隙を確保した液切り端を有し、少なくとも当該シャワーノズルの円錐状噴射形状中心よりも上がわ、および、該シャワーノズルの円錐状噴射形状中心よりも下がわであって当該反射跳揚壁に反射・上昇する圧液および排風が到達する範囲にわたり、該排風水平流入口およびシャワーノズルがわの適所に１または複数の中心を配する縦断面形概略円弧状であって、集塵室正面内壁との間に該排気用間隙から上昇排気口を繋ぐ上昇排気路を確保可能な下降流誘導壁を設けてなるものとした構成からなる集塵機である。                                                                                                    
【発明の効果】
【０００８】
以上のとおり、この発明の集塵機によれば、従前までのものとは違い、上記したとおりの固有の特徴ある構成から、排風源から排出され、排風水平流入口を通じて集塵室に吹き込む排風、および、シャワーノズルから錐状噴射形状に噴射する集塵液の、水平よりも下向きとなる成分を、反射跳揚壁が上向き斜め方向に反射・誘導するようにしてあるから、排風水平流入口およびシャワーノズルを通じて集塵室内に吹き込んだ全ての排風および集塵液の滞空時間を延ばし、排風中に含まれる塵埃が、集塵液に接触・付着状となる機会を増加して、より多くの塵埃を排風から分離・除去できるようにし、その分、液槽液面から排風水平流入口までの高さ寸法を短縮可能とし、従前までであれば、排風源の低い位置から導出した排風ダクトを上がわに折曲して排風水平流入口に接続しなければならず、狭い場所への設置が困難なものであり、排風源への集塵液逆流など様々な問題を生じる虞があったが、こうした課題を悉く解決し、狭い場所であっても排風ダクトを急角度で折曲せず、水平姿勢のまま接続可能なものとし、排風源への集塵液逆流も確実に防止することができるようになり、しかも集塵機本体を大幅に小型化することができる上、集塵性能は従来品と同等か、それ以上のものとすることができるという秀れた特徴が得られるものである。
【０００９】
加えて、下降流誘導壁が、排風水平流入口およびシャワーノズルを通じて集塵室内に流入させた排風および集塵液を堰き止め状とし、速やかに上昇排気口から排出されてしまうのを阻止して、多くの集塵液と、それに付着した塵埃とをキャッチして流下させ、液槽に落下するものとし、液切り端を迂回し、排気用間隙を通じて上昇排気路に誘導し、さらに、該上昇排気路を上昇する過程で排風中に残存する塵埃を、その自重によって落下、除去可能なものとし、より一段と効率的に清浄化し、上昇排気口から清浄な空気だけを排気することができるという秀れた効果を奏するものである。
【００１０】
そして、反射跳揚壁が、排風水平流入口およびシャワーノズルに近接し、同反射跳揚壁の最下位となる端部付近に、塵液排出口を開口してなるものは、同反射跳揚壁上面に付着した塵埃、集塵液、およびその混合液が、塵液排出口を通じて液槽に自然流下および／または落下可能なものとなり、反射跳揚壁上面を常時、清浄且つ平滑な状態に保つことが可能となり、高い反射性能を安定的に確保し、より一層、高い清浄効果を安定・維持できるものとすることができる。
【００１１】
反射跳揚壁が、その上壁面を排風水平流入口およびシャワーノズルに近接する端部付近から、下降流誘導壁に近接する端部付近まで、直線的に上昇する一定の登り勾配の一平面状に設定してなるものは、反射跳揚壁を平体状やブロック状の素材から簡単に製造可能で、生産性に秀れ、低廉にて提供可能なものとすることができ、上壁面を排風水平流入口およびシャワーノズルに近接する端部付近から、下降流誘導壁に近接する端部付近まで、直線的に上昇する複数の登り勾配を組み合わせてなる折り曲げ平面状か、または、複数の折り目を有する屈曲平面状かの何れか一方に設定してなるものは、排風水平流入口およびシャワーノズルから遠ざかるに従って、次第に鉛直上方に近づく角度で反射・誘導するものとなるから、排風および噴射集塵液の交叉・錯綜状の混合を、より複雑化して、さらに多くの塵埃を集塵液に付着・除去することができるようになるという効果が得られる。
【００１２】
さらにまた、反射跳揚壁が、その上壁面を排風水平流入口およびシャワーノズルに近接する端部付近から、下降流誘導壁に近接する端部付近まで、一定曲率で上昇する一次曲面状に設定してなるものや、その上壁面を排風水平流入口およびシャワーノズルに近接する端部付近から、下降流誘導壁に近接する端部付近まで、次第に曲率を変化させて上昇する二次曲線状に設定してなるものも、その曲率の変化に応じて排風および噴射集塵液の交叉・錯綜状の混合を、一段と万遍なく促進して一層効率的に集塵可能なものとすることができる。
【００１３】
反射跳揚壁が、そのシャワーノズルの中心に一致する左右端間中央から離れた左右双方端縁に沿って、排風水平流入口から入流する排風、および、シャワーノズルから噴射する集塵液を反射跳揚壁左右幅内に留めるよう案内可能とする適宜形状の整流翼端を立設するか、または、各左右双方端縁を集塵室天面壁か、同左右面壁かの何れか一方に連続するかの何れかとしてなるものは、排風水平流入口およびシャワーノズルから集塵室内に流入させた排風および集塵液を、左右方向に逃がさず、悉く反射跳揚壁の上壁面と集塵室天面内壁面との間に誘導するようにし、排風が逸早く降下して排気用間隙を通じ、上昇排気路に向かってしまうのを確実に阻止し、且つ、シャワーノズルから噴射した集塵液が、速やかに液槽に落下してしまうのを防止して、集塵液がより多くの塵埃をキャッチして浄化性能を大幅に高めるものとすることができる。                                                                                
【発明を実施するための最良の形態】
【００１４】
上記したとおりの構成からなるこの発明の実施に際し、その最良もしくは望ましい形態について説明を加えることにする。
集塵機本体は、排風源からの排風を直接的に外部に放出しないよう一旦、収容可能とすると共に、浄化した後の排風を円滑に排出可能とする機能を担い、底部に集塵液を貯留した液槽を有する集塵室を設けたものとしなければならず、例えば、金属製や木製などの硬質な素材製の箱状のものとすることができる外、後述する実施例に示すように、金属製の液槽上に金属製などの骨格枠を立設し、該骨格枠に防液シートを張設してなるものとすることができる。
【００１５】
集塵室は、排風源からの排風をシャワーノズルから噴射する集塵液と共に密閉状の室内に誘導可能とし、塵埃が外部に漏れ出すのを阻止可能とする機能を担い、集塵機本体の主要部分であり、一側面に、排風源に接続可能な排風水平流入口を設け、該一側面とは反対がわとなる他側面上部ないし同他側面上部直上に対応する天面の適所に上昇排気口、および、底部全床にわたり集塵液を貯留した液槽を確保してなるものとしなければならず、天面適所から下降流誘導壁を垂下し、排風水平流入口およびシャワーノズルと下降流誘導壁との間となる適所に、反射跳揚壁を配してなるものとすべきであり、例えば、金属製の箱型のものとすることができる外、後述する実施例に示すように、液槽上に設置した金属製の骨格枠に、合成樹脂製の防水シートを張設してなるものとすることができる。
【００１６】
排風水平流入口は、排風源からの排風を集塵室内に導入可能とするよう、排風源から延びる排風ダクトを接続可能とする機能を担い、その流入口の中央付近にシャワーノズルを配置可能なものとしなければならず、排風ダクトを気密状且つ着脱自在に接続可能なものとすべきであり、流入口の中央付近にシャワーノズルを所定の向きに固定支持可能なものとするのが望ましく、後述する実施例に示すように、充分な強度と耐水性とを有した金属製の接続口フランジからなるものとするのがよい。
【００１７】
上昇排気口は、集塵室内の上昇排気路を上昇し、浄化済みとなった排気を集塵室外に円滑に排出可能とする機能を担うものであり、障害物のない開口とすることができる外、集塵フィルターや防水・通気性膜などを装着してなるものとすることができる。
一方、上昇排気路は、排風水平流入口を通じて集塵室内に流入し、反射跳揚壁や下降流誘導壁などに誘導された排風を上昇排気口に向けて誘導、および、排風の上昇過程にて、その排風中に残存する塵埃および集塵液などを、それら塵埃および集塵液などの自重によって落下、除去可能とする機能を分担し、該上昇排気路途中で排風や塵埃、集塵液などが集塵室外に漏出しないよう、充分な気密性を確保したものとしなければならず、排気による騒音を発生しないよう充分に減圧して排気できる程度の容積を確保したものとすべきであり、内壁にはできるだけ凹凸を設けず、円滑且つ静粛な排気を促すものとするのが望ましいが、迂回路を設けたり、消音壁を内装したりするなどして減圧や消音効果を高めるようにしてなるものとすることができる。
【００１８】
シャワーノズルは、排風水平流入口を通じて集塵室内に流入する排風に集塵液を散布し、排風中に含まれる塵埃に集塵液を付着させて速やかに分離、落下可能とする機能を分担し、排風水平流入口から入流する排風に集塵液をムラなく散布可能なものとしなければならず、排風水平流入口から入流する排風に所定角度をもって交叉する方向に集塵液を散布可能なものとすることができ、さらにまた、１個だけでなく複数個を排風水平流入口中央付近や、排風水平流入口内周壁に沿って周回りに点在するよう配して中心がわに向けて噴射可能なものなどとすることができる外、後述する実施例に示すように、排風水平流入口の中心付近に配し、且つ、同集塵室正面内壁がわに向けるよう略水平姿勢に支持すると共に、集塵液を錐状に噴射可能なものとすることができ、換言すれば、シャワーノズルから離れるに従って噴射面積を大きくするよう噴射可能なものとすべきであり、例えば、噴射形状は、円錐状、三角錐状、四角錐状、それ以上の多角錐状などとすることが可能である。
【００１９】
液槽は、集塵室底部に集塵液の適量を貯留可能とすると共に、集塵室内に誘導した排風に向け集塵液を噴射する過程にて、塵埃を含み落下してくる該集塵液を貯留し、当該塵埃を貯留集塵液中に堆積状に回収可能とする機能を分担するものであり、貯留した集塵液を外部に漏出しないよう充分な防水性を有するものとしなければならず、一定量以上の集塵液を排出可能なものとすることができ、一定量の新しい集塵液を供給すると、相当量の使用済み集塵液を自動的に排出可能なものとすることができる外、後述する実施例に示すように、シャワーノズルに所定圧力の集塵液を供給可能なポンプを適所に設け、集塵液を循環利用可能なものとすることができ、集塵液は、集塵性を高めるよう界面活性剤やそれ以外の薬剤などを含む溶液とすることが可能であるが、経済性や環境への影響などを考慮すると、水道水やその他の浄水などをそのまま利用するのがよい。
【００２０】
ポンプは、シャワーノズルに所定圧力の集塵液を供給可能とする機能を担い、排風水平流入口から排風が流入している間に亘って集塵液を連続的に供給可能なものとしなければならず、新たな集塵液の供給源か、または、液槽かの何れかに流入部を接続し、流出部をシャワーノズルに接続してなるものとすることができる外、後述する実施例に示すように、水中ポンプを液槽の適所に没して組み込んだものとすることができる。
【００２１】
反射跳揚壁は、シャワーノズルから集塵室内に向け噴射した集塵液、および、排風水平流入口から集塵室内に流入する排風の双方を、上方に向けて反射させるよう誘導可能とする機能を担い、排風水平流入口およびシャワーノズルと、下降流誘導壁との間であって、シャワーノズルの円錐状噴射形状の中心より下がわとなる適宜範囲に設けたものとしなければならず、噴射集塵液および排風を斜め上方に向けて反射、誘導するよう傾斜させた壁面状または板状ものとすべきであり、より具体的には、その上壁面を排風水平流入口およびシャワーノズルに近接する端部付近から、下降流誘導壁に近接する端部付近まで、直線的に上昇する複数の登り勾配を組み合わせてなる折り曲げ平面状か、または、複数の折り目を有する屈曲平面状かの何れか一方に設定してなるものや、その上壁面を排風水平流入口およびシャワーノズルに近接する端部付近から、下降流誘導壁に近接する端部付近まで、一定曲率で上昇する一次曲面状に設定してなるもの、その上壁面を排風水平流入口およびシャワーノズルに近接する端部付近から、下降流誘導壁に近接する端部付近まで、次第に曲率を変化させて上昇する二次曲線状に設定してなるもの、または、そのシャワーノズルの中心に一致する左右端間中央から離れた左右双方端縁に沿って、排風水平流入口から入流する排風、および、シャワーノズルから噴射する圧液を反射跳揚壁左右幅内に留めるよう案内可能とする適宜形状の整流翼端を立設するか、または、各左右双方端縁を集塵室天面壁か、同左右面壁かの何れか一方に連続するかの何れかとしてなるものなどとすることができる外、後述する実施例に示すように、その上壁面を排風水平流入口およびシャワーノズルに近接する端部付近から、下降流誘導壁に近接する端部付近まで、直線的に上昇する一定の登り勾配の一平面状に設定してなるものとし、さらに、排風水平流入口およびシャワーノズルに近接し、同反射跳揚壁の最下位となる端部付近に、同反射跳揚壁上面に付着した塵埃、液、およびその混合液が液槽に自然流下および／または落下可能とする塵液排出口を開口してなるものとすることができる。
【００２２】
下降流誘導壁は、シャワーノズルからの噴射集塵液、および、反射跳揚壁にて斜め上方に誘導した排風および集塵液を、液槽に貯留した集塵液面付近となる排気用間隙まで下降するよう誘導可能とする機能を担い、集塵室内の正面内壁と同反射跳揚壁との間に配するよう天面から吊下し、液槽液面との間に排気用間隙を確保した液切り端を有するものとしなければならず、集塵室正面内壁との間に該排気用間隙から上昇排気口までを繋ぐ上昇排気路を確保可能なものとすべきであり、後述する実施例に示すように、少なくとも当該シャワーノズルの円錐状噴射形状中心よりも上がわ、および、該シャワーノズルの円錐状噴射形状中心よりも下がわであって当該反射跳揚壁に反射・上昇する圧液および排風が到達する範囲にわたり、該排風水平流入口およびシャワーノズルがわの適所に１または複数の中心を配する縦断面形概略円弧状のものとするのが良い。
【００２３】
排風源は、塵埃を含む排風を排出するものであり、排風ダクトを通じて排出可能なものであって、例えば、金属、繊維、木、その他の粉塵や塵埃などを含む気体を排出する工場などの排気ダクトや、籾や藁などの塵埃を含む空気を排出する農業用機械などであるということができ、より具体的には、後述する実施例に示すように、穀類乾燥機などの低い位置から排風ダクトが導出される構造の機械類などであるということができる。
以下では、図面に示すこの発明を代表する実施例と共に、その構造について詳述することとする。                                                                                                      
【図面の簡単な説明】
【００２４】
図面は、この発明の集塵機の技術的思想を具現化した代表的な幾つかの実施例を示すものである。
【図１】集塵機を断面化して示す側面図である。
【図２】要部を断面化して示す側面図である。
【図３】断面化した集塵機を従来品と比較して示す側面図である。
【図４】排風源に接続した集塵機を示す側面図である。
【図５】反射跳揚壁の変形例を示す側面図である。
【図６】反射跳揚壁の他の変形例を示す側面図である。
【図７】排風源に接続した従来の集塵機を示す斜視図である。
【図８】従来の集塵機を断面化して示す側面図である。
【図９】排風源に接続した従来の集塵機を示す側面図である。
【実施例１】
【００２５】
図１ないし図４に示す事例は、集塵室２の背面２０に排風水平流入口２５、該背面２０とは反対がわとなる正面２１上部ないし天面２２前部の適所に上昇排気口２６、および、底部２４に液槽４を夫々設けて集塵機本体１０となし、該液槽４に設けたポンプ３０に接続したシャワーノズル３を当該排風水平流入口２６の中心付近に配し、同集塵室２内のシャワーノズル３噴射形状の中心Ｃより下がわとなる適宜範囲に反射跳揚壁５を設けた上、同集塵室２内の正面２１内壁と同反射跳揚壁５との間には、排気用間隙６１を確保した液切り端６０を有し、少なくとも当該シャワーノズル３の円錐状噴射形状中心Ｃよりも上がわ、および、該シャワーノズル３の円錐状噴射形状中心Ｃよりも下がわであって、該反射跳揚壁５に反射・上昇する圧液（集塵液）４０および排風８が到達する範囲にわたり、上昇排気路２７を確保可能な下降流誘導壁６を設けてなるものとした、この発明の集塵機における代表的な一実施例を示すものである。
【００２６】
それら各図からも明確に把握できるとおり、この発明の集塵機１は、底面が矩形状で所定の深さを確保し、天面開放状の液槽４からなり、該液槽４上に、金属製の骨格枠２８、および、それに合成樹脂製の防液シート２９を張着して集塵室２とした集塵機本体１０を有し、該集塵機本体１０集塵室２の背面２０には、その左右幅間の中央であって、接続対象となる排風源としての穀類乾燥機７排風ダクト７０高さＤＨに一致（対応）する位置に、排風水平流入口２５となる接続口フランジ２５を固定し、排風ダクト７０のダクトホース７０を着脱自在に接続可能なものとした上、該接続口フランジ２５の中央には、該液槽４の適所に没するよう設けた水中ポンプ３０より導いた圧液（集塵液）４０を、集塵室２内に向けて円錐状に噴射可能としたシャワーノズル３を固定状に支持したものとしてあり、該シャワーノズル３は、必要に応じてノズル支持角度を微調整可能とする図示しない角度調整機構を組み込んでなるものとすることができる。
【００２７】
集塵室２内のシャワーノズル３の円錐状噴射形状の中心Ｃより下がわとなる範囲に、その上壁面５０を接続口フランジ２５およびシャワーノズル３に近接する下端部５１から、集塵室２正面２１内壁がわに向けて上向きとなる上端部５２まで、直線的に上昇する一定の登り勾配（集塵室２背面２０内壁面との開き角度Ａ）とした一平面状に設定してなる反射跳揚壁５を設け、その、下端部５１と集塵室２背面２０内壁との間には、同反射跳揚壁５上壁面５０に付着した塵埃９、集塵液４０、およびその混合液（４０，９）が液槽４に自然流下および／または落下可能とする適宜間隙寸法Ｂの塵液排出口５３を開口してなるものとしてあり、該反射跳揚壁５は、必要に応じてその上壁面５０角度Ａを微調整可能とする図示しない角度調整機構を組み込んでなるものとすることができる。
【００２８】
さらに、反射跳揚壁５は、図５に示すように、その上壁面５０の角度を、上下端部５１，５２間中央付近より、その下端部５１寄りの範囲を開き角度Ａ１とし、その上端部５２寄りの範囲を開き角度Ａ２とし、開き角度Ａ１が、開き角度Ａ２よりも大きく（開き角度Ａ１＞開き角度Ａ２）なるよう設定してなるものとすることができる外、図６に示すように、上壁面５０が、下端部５１から上端部５２に掛けて集塵室２背面２０内壁がわ寄りの適所に設定した仮想水平軸心から所定半径Ｒの円筒面形状（縦断面円弧形）のものとすることが可能である。
【００２９】
図１に示すように、集塵室２正面２１内壁と反射跳揚壁５との間には、天面２２内壁に一体化して吊下し、液槽４液面４１との間に排気用間隙６１を確保するよう寸法設定した水平状の液切り端６０を有し、当該シャワーノズル３の円錐状噴射形状中心Ｃよりも上がわ、および、該シャワーノズル３の円錐状噴射形状中心Ｃよりも下がわであって当該反射跳揚壁５に反射・上昇する圧液（集塵液）４０および排風８が到達する範囲にわたり、該接続口フランジ２５およびシャワーノズル３がわの適所に中心（図示せず）を配する縦断面形概略円弧状であって、集塵室２正面２１内壁との間に、該排気用間隙６１から上昇排気口２６を繋ぐ上昇排気路２７を確保可能な下降流誘導壁６を設けたものとしてあり、該下降流誘導壁６もまた、その吊下姿勢角度を微調整可能とする図示しない角度調整機構を組み込んでなるものとすることができる。
そして、当該上昇排気口２６には、防塵フィルター２６を張設して浄化性能をさらに高めたものとしてある。
【００３０】
（実施例１の作用・効果）
以上のとおりの構成からなるこの発明の集塵機１は、図１ないし図４に示すように、その背面２０接続口フランジ２５に穀類乾燥機７（排風源）の排風ダクト（ダクトホース）７０を水平姿勢のまま接続して設置することが可能であり、穀類乾燥機７が排出する排風８を接続口フランジ２５から集塵室２内に誘導すると共に、液槽４から水中ポンプ３０が汲み上げた集塵液４０を、シャワーノズル３が集塵室２内に向けて噴射するものとし、集塵室２内適所に配した反射跳揚壁５が、シャワーノズル３から噴射する集塵液４０円錐状噴射形状の中心Ｃよりも下がわの範囲、および、接続口フランジ２５から同範囲に吹き込む排風８を、斜め上方向に向けて反射し、該円錐状噴射形状の中心Ｃよりも上がわに噴射する集塵液４０および排風８の流れに交叉するよう誘導し、それらが錯綜・混合状となる流れの渦中にて、排風８中に含まれる塵埃９に集塵液４０が効率的に付着するものとなり、格段に効率的に塵埃９を回収することができる。
【００３１】
反射跳揚壁５上壁面５０に付着した塵埃９および集塵液４０は、それらの自重により上壁面５０に沿って流下し、塵液排出口５３を通じて液槽４に滴下・落下し、同上壁面５０は常時、平滑な表面を露出状として円滑な反射作用を発揮可能な状態を維持できるようになっている。
【００３２】
集塵液４０が吸着した塵埃９は、飛翔先となる範囲に配してある縦断面形円弧状の下降流誘導壁６に吹き付けて付着および流下して液切り端６０より液槽４に滴下・落下するものとなり、また、該下降流誘導壁６の円弧形状壁面に沿って上昇し、霧状・浮遊状に舞い上がったものは、集塵液４０の自重によって液槽４に自由落下するものとなって、排風８中に含まれていた殆どの塵埃９が、排気用間隙６１を通過する迄に、分離、落下し、液槽４の中に沈殿、堆積状に蓄積、回収するものとなり、さらに、排気用間隙６１を通過して上昇排気路２７を上昇する過程でも、集塵液４０が吸着した塵埃９、および、集塵液４０が吸着しなかった塵埃９が、自重によって液槽４に落下し、さらに、上昇排気口２６を通過する排風８に残存する塵埃９を防塵フィルター２６が除去して、略完全に浄化した空気のみを集塵機本体１０外に排気するものとなる。
【００３３】
反射跳揚壁５を設けたことにより、接続口フランジ２５から集塵室２内に吹き込んだ排風８、および、シャワーノズル３が噴射した集塵液４０が、全て水平以上の上方向に向けて吹き揚げるものとなって、滞空して浮遊・錯綜する時間を延長し、集塵液４０が塵埃９に吸着する機会を大幅に増大し、従来品と同等以上の浄化性能を達成することができる上、図３および図４に示すように、高低差ｈの設定を可能として穀類乾燥機７（排風源）の排風ダクト（ダクトホース）７０を水平姿勢のまま接続可能なものとすることができる。
【００３４】
加えて、図５および図６に示すように、反射跳揚壁５上壁面５０形状を、その下端部５１から上端部５２に向かうに従って上昇率（勾配変化率）を高めたものは、基端がわから先端がわに次第に反射方向を変化し、集塵液４０、排風８および塵埃９の、より一層ムラの無い多角的な交叉を実現化可能として、集塵液４０の塵埃９への付着機会を大幅に増大し、集塵率を格段に高めたものとすることができる。
【００３５】
（結  び）
叙述の如く、この発明の集塵機は、その新規な構成によって所期の目的を遍く達成可能とするものであり、しかも製造も容易で、従前からの集塵機技術に比較して大幅な集塵機本体の簡素化および小型化を達成し、軽量化と低廉化とによって遙かに経済的なものとすることができる上、静粛・集塵性能を向上できる上、排風源の低い位置から導出される排風ダクトを急角度で折曲することなく、略水平のまま容易に接続することができ、狭いスペースに簡単に設置することができ、集塵中も静粛性と清浄な作業環境とを確保して作業効率と安全性とを高め、周辺環境を保護するよう改善し得るものとすることができるから、従前までは穀類の乾燥作業に伴う塵埃の回収に腐心していた農家および穀類生産・加工・販売業界はもとよりのこと、農業以外の塵埃を含む排気が発生する産業機械を利用するその他の産業界、および、それら施設の近隣住民においても高く評価され、広範に渡って利用、普及していくものになると予想される。                                                                      
【符号の説明】
【００３６】
１      集塵機
１０    同  集塵機本体
２      集塵室
２０    同  背面
２１    同  正面
２２    同  天面
２３    同  左右側面
２４    同  底部
２５    同  接続口フランジ（排風水平流入口）
Ｈ    同  取付け高さ
２６    同  上昇排気口（防塵フィルター）
２７    同  上昇排気路
２８    同  骨格枠
２９    同  防液シート
３      シャワーノズル
３０    同  水中ポンプ
Ｃ    同  円錐状噴射形状の中心
４      液槽
４０    同  集塵液
４１    同  液位（集塵液液面）
５      反射跳揚壁
５０    同  上壁面
５１    同  下端部
５２    同  上端部
５３    同  塵液排出口
Ａ    同  開き角度
Ｂ    同  間隙寸法
Ｒ    同  半径
６      下降流誘導壁
６０    同  液切り端
６１    同  排気用間隙
７      穀類乾燥機（排風源）
７０    同  排風ダクト（ダクトホース）
ｈ    同  高低差
ＤＨ    同  排風源排気口の高さ
８      排風
９      塵埃                                                                                              
【図１】
0005683532.tif 000002
【図２】
0005683532.tif 000003
【図３】
0005683532.tif 000004
【図４】
0005683532.tif 000005
【図５】
0005683532.tif 000006
【図６】
0005683532.tif 000007
【図７】
0005683532.tif 000008
【図８】
0005683532.tif 000009
【図９】
0005683532.tif 000010